(57)【特許請求の範囲】
【請求項１】
遊技機に設けられ、可動体によって動作演出を行う可動演出装置において、
前記可動体は、
光を照射する発光体が設けられた発光手段と、
前記発光手段に対して前記発光体の光照射方向前側に配設され、光を透過可能な第１発光部を設けた第１飾り部および光を透過可能な第２発光部を設けた第２飾り部を有する演出体と、
前記演出体の前側に設けられた被覆体とを備え、
前記演出体および被覆体は、前記第２飾り部が該被覆体で覆われると共に前記第１飾り部が被覆体の外方に臨み、前記発光体の前側に前記第１発光部が位置する第１演出位置と、前記第２飾り部が被覆体の外方に臨むと共に前記発光体の前側に前記第２発光部が位置する第２演出位置との間で相対的に変位するよう構成され、
前記発光手段および被覆体は、前記第１演出位置および前記第２演出位置で相対的な位置関係が変わらないように構成され、
前記第１飾り部には、前記第１発光部が前記演出体の変位方向に離間して複数設けられて、第１演出位置で第１発光部の夫々に前記発光体が臨み、
前記第２飾り部には、第２演出位置で複数の発光体の前側に亘って位置するように前記第２発光部が形成され、
前記演出体は、前記第２飾り部から前記第１飾り部にかけて前記発光手段が相対した関係で、前記被覆体の一端部から第２飾り部が出没するよう変位し、
前記演出体には、該演出体の変位方向において前記被覆体と交差する関係で延出する延出部が、前記第１飾り部における前記第２飾り部との境界部位に設けられ、
前記演出体は、前記被覆体の一端部と前記延出部とが第１演出位置で隙間をあけて相対するよう位置規制され、
前記演出体には、前記延出部を前記第２飾り部側に延長すると共に前記被覆体の後側に収容可能な寸法で形成された延長片が設けられ、前記第１演出位置で前記隙間を延長片で埋めるよう構成した
ことを特徴とする遊技機の可動演出装置。
【請求項２】
前記発光手段には、前記発光体が所定方向に並べて複数設けられ、
前記演出体は、前記発光体の配列方向に沿って往復移動するよう構成され、
前記演出体は、前記第１演出位置で前記第１発光部が前記発光体の前側に位置する一方、前記第２演出位置で前記第１発光部の一部が発光体の前側から外れるよう移動される請求項１記載の遊技機の可動演出装置。
【請求項３】
前記演出体は、遊技球が流下可能な遊技領域が前側に設けられた遊技盤に配設された飾り部材の後側に設けられ、
前記演出体は、前記第１飾り部が該飾り部材の後側に位置する領域が第１演出位置から第２演出位置に向かうにつれて大きくなり、該第２演出位置で前記発光体の前側から外れた前記第１発光部が飾り部材の後側に位置するよう構成された請求項２記載の遊技機の可動演出装置。
【請求項４】
前記可動体は、前記演出体が前記被覆体の一端部から前記第２飾り部が出没するよう変位すると共に、該被覆体の他端部側を支点として回動するよう構成され、
前記可動体は、前記遊技盤の後側に設けられて表示開口を介して前方に臨む図柄表示装置の表示部の前側に変位すると共に、前記第２演出位置に演出体が変位し、前記発光体の前側から外れた前記第１発光部が該表示部によって発光演出される請求項３記載の遊技機の可動演出装置。
【発明の詳細な説明】
【技術分野】
【０００１】
この発明は、遊技機に設けられ、可動体を備えた可動演出装置に関するものである。
【背景技術】
【０００２】
例えば遊技機の代表例の一つであるパチンコ機は、機内にセットされる遊技盤の盤面にパチンコ球が打ち出される遊技領域が画成されて、該遊技盤における遊技領域の裏側に、各種図柄を変動表示する液晶パネルが用いられた図柄表示装置が配設される。また、パチンコ機は、遊技盤に形成した開口部等を介して図柄表示装置の表示部を前側から視認し得るよう構成される。この種のパチンコ機では、遊技盤の前面側に、遊技領域に打ち出されたパチンコ球が入賞可能な入賞装置が配設され、該入賞装置へのパチンコ球の入賞により図柄表示装置での図柄の変動が開始されるよう構成されている。そして、パチンコ機では、図柄変動の結果として図柄表示装置に所定の組合わせで図柄が停止すると、遊技者に有利な所謂大当りが発生するようになっている。また、パチンコ機には、キャラクターや演出に応じた可動体が配設され、遊技に際して図柄表示装置に表示される図柄や装飾等に合わせて可動体に所定の動作を行わせて興趣を高めることも行われている(例えば、特許文献１参照)。
【先行技術文献】
【特許文献】
【０００３】
【特許文献１】特開２００８−２００２１７号公報
【発明の概要】
【発明が解決しようとする課題】
【０００４】
特許文献１に開示された揺動役物には、先端部に複数のＬＥＤを備えた基板が設けられ、揺動役物の動作と共にＬＥＤから光を照射することで、揺動役物の動作による演出だけでなく、光による演出も行っている。しかしながら、ＬＥＤを単に点滅するだけでは、演出効果が乏しい欠点がある。
【０００５】
すなわち本発明は、従来の技術に係る遊技機の可動演出装置に内在する前記問題に鑑み、発光態様の多様性に富んだ可動体を備えた遊技機の可動演出装置を提供することを目的とする。
【０００６】
前記課題を克服し、所期の目的を達成するため、本願の請求項１に係る発明の遊技機の可動演出装置は、
遊技機に設けられ、可動体(60)によって動作演出を行う可動演出装置において、
前記可動体(60)は、
光を照射する発光体(63)が設けられた発光手段(62)と、
前記発光手段(62)に対して前記発光体(63)の光照射方向前側に配設され、光を透過可能な第１発光部(68)を設けた第１飾り部(66)および光を透過可能な第２発光部(72)を設けた第２飾り部(70)を有する演出体(64)と、
前記演出体(64)の前側に設けられた被覆体(78)とを備え、
前記演出体(64)および被覆体(78)は、前記第２飾り部(72)が該被覆体(78)で覆われると共に前記第１飾り部(66)が被覆体(78)の外方に臨み、前記発光体(63)の前側に前記第１発光部(68)が位置する第１演出位置と、前記第２飾り部(72)が被覆体(78)の外方に臨むと共に前記発光体(63)の前側に前記第２発光部(72)が位置する第２演出位置との間で相対的に変位するよう構成され、
前記発光手段(62)および被覆体(78)は、前記第１演出位置および前記第２演出位置で相対的な位置関係が変わらないように構成され、
前記第１飾り部(66)には、前記第１発光部(68)が前記演出体(64)の変位方向に離間して複数設けられて、第１演出位置で第１発光部(68)の夫々に前記発光体(63)が臨み、
前記第２飾り部(70)には、第２演出位置で複数の発光体(63)の前側に亘って位置するように前記第２発光部(72)が形成され、
前記演出体(64)は、前記第２飾り部(70)から前記第１飾り部(66)にかけて前記発光手段(62)が相対した関係で、前記被覆体(78)の一端部から第２飾り部(70)が出没するよう変位し、
前記演出体(64)には、該演出体(64)の変位方向において前記被覆体(78)と交差する関係で延出する延出部(76)が、前記第１飾り部(66)における前記第２飾り部(70)との境界部位に設けられ、
前記演出体(64)は、前記被覆体(78)の一端部と前記延出部(76)とが第１演出位置で隙間(S)をあけて相対するよう位置規制され、
前記演出体(64)には、前記延出部(76)を前記第２飾り部(70)側に延長すると共に前記被覆体(78)の後側に収容可能な寸法で形成された延長片(76a)が設けられ、前記第１演出位置で前記隙間(S)を延長片(76a)で埋めるよう構成したことを特徴とする。
請求項１に係る発明によれば、可動体は、演出体の第１演出位置で、外方に臨む第１飾り部の第１発光部で発光演出される。また、可動体は、演出体の第２演出位置で、第１演出位置で被覆体で覆われていた第２飾り部が外方に臨み、第２飾り部の第２発光部で発光演出される。すなわち、可動体は、演出体と被覆体との相対的な変位によって、発光演出する部位が変わり、発光態様を変えることができる。
第１演出位置で被覆体と演出体における第１飾り部の延出部が当たらないように隙間をあけて位置規制されるが、この隙間を延長片で埋めることで、隙間を遊技者から視認し難くできる。延出部が被覆体に接触しないので、互いの傷付きを防止できる。
【０００７】
請求項２に係る発明では、前記発光手段(62)には、前記発光体(63)が所定方向に並べて複数設けられ、
前記演出体(64)は、前記発光体(63)の配列方向に沿って往復移動するよう構成され、
前記演出体(64)は、前記第１演出位置で前記第１発光部(68)が前記発光体(63)の前側に位置する一方、前記第２演出位置で前記第１発光部(68)の一部が発光体(63)の前側から外れるよう移動されることを要旨とする。
請求項２に係る発明によれば、演出体の第２演出位置で、発光演出される第１発光部と、発光演出されない第１発光部とに分けることができる。
【０００８】
請求項３に係る発明では、前記演出体(64)は、遊技球が流下可能な遊技領域(20a)が前側に設けられた遊技盤(20)に配設された飾り部材(32,33)の後側に設けられ、
前記演出体(64)は、前記第１飾り部(66)が該飾り部材(32,33)の後側に位置する領域が第１演出位置から第２演出位置に向かうにつれて大きくなり、該第２演出位置で前記発光体(63)の前側から外れた前記第１発光部(63)が飾り部材(33)の後側に位置するよう構成されたことを要旨とする。
請求項３に係る発明によれば、演出体の第１飾り部の一部を飾り部材で隠すことができる。
【０００９】
請求項４に係る発明では、前記可動体(60)は、前記演出体(64)が前記被覆体(78)の一端部から前記第２飾り部(70)が出没するよう変位すると共に、該被覆体(78)の他端部側を支点として回動するよう構成され、
前記可動体(60)は、前記遊技盤(20)の後側に設けられて表示開口(34a)を介して前方に臨む図柄表示装置(40)の表示部(40a)の前側に変位すると共に、前記第２演出位置に演出体(64)が変位し、前記発光体(63)の前側から外れた前記第１発光部(68)が該表示部(40a)によって発光演出されることを要旨とする。
請求項４に係る発明によれば、第２演出位置で発光体の前側から外れた第１発光部を図柄表示装置の表示部で発光演出できる。
【発明の効果】
【００１１】
本発明に係る遊技機の可動演出装置によれば、演出体と被覆体と相対的な変位によって、演出体の発光する部位が変化するので、可動体を複数の態様で発光演出を行い得る。
【図面の簡単な説明】
【００１２】
【図１】本発明の好適な実施例に係るパチンコ機を示す正面図である。
【図２】実施例の遊技盤を示す正面図である。
【図３】実施例の設置部材を示す正面図であって、可動体および作動体が待機状態にある。
【図４】実施例の設置部材を示す正面図であって、可動体および作動体が動作状態にある。
【図５】実施例の可動演出装置を示す正面図であって、(ａ)は可動体が第１可動位置に位置すると共に作動体が第１作動位置に位置し、(ｂ)は可動体が第２可動位置に位置すると共に作動体が第２作動位置に位置している。
【図６】実施例の可動演出装置を示す背面図であって、(ａ)は可動体が第１可動位置に位置すると共に作動体が第１作動位置に位置し、(ｂ)は可動体が第２可動位置に位置すると共に作動体が第２作動位置に位置している。
【図７】実施例の可動演出装置を示す背面図であって、第２可動位置に位置する可動体の演出体が第２演出位置に変位した状態を示す。
【図８】実施例の可動体を前側から示す分解斜視図である。
【図９】実施例の作動体を前側から示す分解斜視図である。
【図１０】図５のＸ部拡大図である。
【図１１】図４のＹ部拡大図である。
【図１２】実施例の可動体を示す背面斜視図である。
【図１３】実施例の可動体の動作と付勢手段の関係を示す説明図である。
【図１４】実施例の可動体を示す概略正面図であって、(ａ)は演出体が第１演出位置にあり、(ｂ)が演出体が第２演出位置にある。
【図１５】実施例の作動体を示す背面斜視図である。
【発明を実施するための形態】
【００１３】
次に、本発明に係る遊技機の可動演出装置につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１４】
(パチンコ機)
図１に示すように、実施例に係るパチンコ機１０は、矩形枠状に形成されて遊技店の図示しない設置枠台に固定される固定枠としての外枠１１の開口前面側に、後述する遊技盤２０(図２参照)が着脱可能に保持された本体枠としての中枠１２が開閉および着脱可能に組付けられている。また、遊技盤２０の後側には、各種図柄を変動表示可能な図柄表示装置４０(図１または図２参照)が着脱し得るよう配設されている。中枠１２の前面側には、遊技盤２０を透視保護するガラス板を備えた装飾枠としての前枠１４が開閉可能に組付けられると共に、前枠１４の下方にパチンコ球を貯留する下球受け皿１５が開閉可能に組付けられる。なお、実施例では、前枠１４の下部位置に下球受け皿１５の上側に位置して、パチンコ球を貯留する上球受け皿１６が一体的に組付けられており、前枠１４の開閉に合わせて上球受け皿１６も一体的に開閉するよう構成される。なお、実施例のパチンコ機１０では、図柄表示装置４０として、液晶画面からなる表示部４０ａで各種演出表示を行う液晶タイプが採用されている。
【００１５】
(遊技盤)
前記中枠１２に配設される遊技盤２０は、図２に示すように、前面(盤面)にパチンコ球が流下可能な遊技領域２０ａが画成され、合板等の木製からなる平板状の板部材で構成される。遊技盤２０の前面には、円弧状に形成した案内レール２１が配設されると共に、該案内レール２１の右方位置に、左端縁が右方に凹む円弧状に形成した盤面飾り部材２２が配設される。そして、案内レール２１および盤面飾り部材２２により遊技領域２０ａが略円形状に画成され、中枠１２に配設された図示しない打球発射装置から発射されたパチンコ球が遊技領域２０ａ内に打ち出され、該遊技領域２０ａ内をパチンコ球が流下して遊技が行われる。また、遊技盤２０の遊技領域２０ａ内には、多数の遊技釘が植設されており、該遊技釘との接触により遊技領域２０ａを流下するパチンコ球の流下方向が不規則に変化するよう構成してある。
【００１６】
前記遊技盤２０には、図１または図２に示すように、後述する枠状装飾体２８の下縁より下方位置に、前記遊技領域２０ａを流下するパチンコ球が入賞可能な始動入賞装置２４および特別入賞装置２５やパチンコ球が通過可能なゲート２６等が配設される。なお、図２の符号２７は、遊技盤２０に配設されて、常に入賞口を開放している普通入賞装置を示す。
【００１７】
(枠状装飾体)
前記遊技盤２０の中央には、前後に貫通する大型の貫通口(図示せず)が形成されており、該貫通口に対して前後に開口する窓口２８ａを有する枠状装飾体(所謂センター役物)２８が嵌め込まれるように着脱可能に配設される(図１または図２参照)。そして、後述する設置部材３４の表示開口部３４ａから臨む図柄表示装置４０の表示部４０ａは、枠状装飾体２８における前後に開口する窓口２８ａを介して遊技盤２０の前側に露出して、該図柄表示装置４０の表示部４０ａで展開される図柄変動を前側から視認し得るようになっている(図１または図２参照)。
【００１８】
前記枠状装飾体２８には、図２に示す如く、上縁部から左右両縁部に亘り、遊技盤２０の前面より前方に突出する円弧状の庇状部２８ｂが設けられており、遊技領域２０ａに打ち出されたパチンコ球を外周部の庇状部２８ｂで案内し得ると共に、該パチンコ球が枠状装飾体２８の窓口２８ａを横切って流下するのを該庇状部２８ｂで規制している。枠状装飾体２８は、庇状部２８ｂの右上部から窓口２８ａ側に張り出すように配設され、光を透過可能な光飾部を備えた右部飾り部材３２と、庇状部２８ｂの左上部から窓口２８ａ側に張り出すように配設され、光を透過可能な光飾部を備えた左部飾り部材３３とを備えている。枠状装飾体２８は、これらの飾り部材３２,３３によって窓口２８に臨む表示部４０ａの周辺を装飾するようになっている。
【００１９】
(設置部材)
前記遊技盤２０の後面には、図柄表示装置４０が着脱可能に配設されると共に、後述する可動演出装置５０や複数の発光基板等の遊技部品が配設される合成樹脂材で形成された設置部材３４が配設されている(図３または図４参照)。設置部材３４は、図３または４に示すように、前方に開口する矩形箱状に形成されており、開口端部に形成された取付部３４ｂを遊技盤２０の後面に突き当ててネジ止め固定される。設置部材３４には、遊技盤２０の後面に対向する設置板部３５に、前後に貫通する大型の表示開口部３４ａが設けられている。設置部材３４は、遊技盤２０に取り付けた際に、該遊技盤２０の貫通口の後側に表示開口部３４ａが重なると共に、設置板部３５と遊技盤２０との間に所要の空間が画成される。設置部材３４の設置板部３５には、図３および図４に示すように、表示開口部３４ａの右下側から右側にかけて可動演出装置５０が配設されている。また、設置部材３４には、設置板部３５の前側に離間して前記右部飾り部材３２および左部飾り部材３３の後側に重なるように飾り発光手段３６が設けられており(図３または図４参照)、飾り発光手段３６に設けられたＬＥＤ等の発光体３６ａによって飾り部材３２,３３の光飾部が発光演出されるようになっている。なお、設置板部３５と飾り発光手段３６と間には、可動演出装置５０の後述する可動体６０を収容可能なスペースが設けられている。
【００２０】
(可動演出装置)
図３〜図９に示すように、前記可動演出装置５０は、設置部材３４における表示開口部３４ａの右下部に取り付けられた第１ベース部材５２と、この第１ベース部材５２に動作可能に設けられた可動体６０と、第１ベース部材５２の前側に設けられた第２ベース部材５６と、この第２ベース部材５６に動作可能に設けられた作動体１００とを備えている。また、可動演出装置５０は、可動体６０を動作させる駆動手段９０および可動体６０の位置を検知する可動位置検知手段９２を第１ベース部材５２に備え(図８参照)、作動体１００を動作させる作動手段１０６および作動体１００の位置を検知する作動位置検知手段１０８を第２ベース部材５６に備えている(図９参照)。可動演出装置５０は、第１ベース部材５２に対して第２ベース部材５６が取り付けられてベース体５１が構成され、第１ベース部材５２を設置板部３５の前面に取り付けるようになっている。すなわち、可動演出装置５０は、ベース体５１を共通基盤とする１つの全体ユニットとして取り扱い可能であるだけでなく、第１ベース部材５２から第２ベース部材５６を取り外すことで、第１ベース部材５２を共通基盤として、可動体６０、駆動手段９０および可動位置検知手段９２を１つの分割ユニットとして取り扱い可能であると共に、第２ベース部材５６を共通基盤として、作動体１００、作動手段１０６および作動位置検知手段１０８を１つの分割ユニットとして取り扱い可能である。
【００２１】
実施例の可動演出装置５０は、可動体６０および作動体１００がパチンコ機１０のモチーフに合わせた意匠形状である刀形状に形成されており、可動体６０および作動体１００は、外方に臨む意匠面が略相似形状になっている(図５参照)。また、可動演出装置５０には、可動体６０と作動体１００とが前後の関係で配設されており、可動体６０と比べて作動体１００が小さく(短尺に)形成されている。可動演出装置５０は、可動体６０が、ベース体５１から上方に突出するように延在し、図柄表示装置４０における表示部４０ａの右側方に退避した第１可動位置(第１位置)と(図２、図３、図５(ａ)および図６(ａ)参照)、この第１可動位置から表示部４０ａの前側に臨むように変位した第２可動位置(第２位置)との間で往復移動するよう構成されている(図４、図５(ｂ)、図６(ｂ)および図７参照)。また、可動演出装置５０は、作動体１００が、ベース体５１から上方に突出するように延在し、図柄表示装置４０の表示部４０ａから右側方に退避した第１作動位置と(図２、図３、図５(ａ)および図６(ａ)参照)、この第１作動位置から表示部４０ａの前側に臨むように変位した第２作動位置との間で往復移動するよう構成されている(図４、図５(ｂ)、図６(ｂ)および図７参照)。
【００２２】
(ベース体)
前記第１ベース部材５２は、前方に突出する壁が周縁に設けられて前方に開口する略トレイ形状に形成されている(図８参照)。なお、第１ベース部材５２には、可動体６０の動作を補助する後述する付勢手段９４が後側に配設されている(図６、図７または図１２参照)。第２ベース部材５６は、後方に突出する壁が周縁に設けられて後方に開口する略トレイ形状に形成されている。ベース体５１は、第１ベース部材５２および第２ベース部材５６を周縁に設けられた壁を互いに突き合わせて組み付けることで構成され、第１ベース部材５２と第２ベース部材５６との間に可動体６０の支持部側が収容されるスペースが画成されている。なお、第１ベース部材５２および第２ベース部材５６には、これらのベース部材５２,５６から可動体６０が突出する辺となる上縁に右側部の一部を除いて壁が設けられず、ベース体５１の上面には、可動体６０の挿通および変位を許容する動作開口が設けられている。
【００２３】
(可動体)
前記可動体６０は、光を照射する可動発光体(発光体)６３が設けられた可動発光基板(発光手段)６２と、この可動発光基板６２に対して可動発光体６３の光照射方向前側に配設された演出体６４と、この演出体６４の前側に延在するように設けられた被覆体７８とを備えている(図５〜図８参照)。そして、可動体６０は、演出体６４と被覆体７８との光照射方向前後の重なり関係が変化するように、演出体６４および被覆体７８が相対的に変位するよう構成されている(図１４参照)。ここで、可動体６０は、演出体６４および被覆体７８の位置関係が相対的に変位するものの、被覆体７８と可動発光基板６２(可動発光体６３)との相対的な位置関係が変わらないように構成されている。実施例の可動体６０は、動作手段を構成する動作モータ８５によって演出体６４が可動発光基板６２および被覆体７８に対して移動するように構成され(図１４参照)、演出体６４自身の移動によって該演出体６４における可動発光基板６２および被覆体７８との重なり部分が変化するようになっている。
【００２４】
前記可動体６０は、第１ベース部材５２に対して支持される下部(以下、支持部という)が、前面を構成する被覆体７８と、この被覆体７８の後側に設けられ、可動発光基板６２の前側を覆う中間体８２とで構成されている(図８または図１２参照)。なお、符号８０は、中間体８２に取り付けられ、可動発光基板６２の左右側縁下部を保持する基板取付部材である。そして、可動体６０は、支持部に設けられた後述する軸支部６１が第１ベース部材５２に軸支されている。すなわち、可動体６０は、支持部の第１ベース部材５２への軸支点を中心に全体として回動すると共に、演出体６４の一部が被覆体７８から出没するように往復移動することで、遊技盤２０の前側に臨む刀状の意匠部分が伸縮するようになっている(図３または図４参照)。
【００２５】
前記可動発光基板６２は、細長く形成されており(図８参照)、前面に可動発光体６３が長手に離間して複数(実施例では９基)設けられ、これらの可動発光体６３から前方に光を照射するようになっている。すなわち、実施例の可動体６０において、可動発光体６３の光照射方向とは前方であり、可動発光基板６２、演出体６４および被覆体７８が遊技盤２０において前後の関係で配置されている。可動発光基板６２は、可動体６０における演出体６４および被覆体７８の相対的な変位方向に長手が延在し、複数の可動発光体６３が該変位方向に離間して一列に並んでいる(図１４参照)。なお、実施例の可動発光体６３は、ＬＥＤ(発光ダイオード)が採用されている。可動発光基板６２は、長手の略半分が基板取付部材８０に取り付けられると共に、残りの略半分が被覆体７８および基板取付部材８０から突出するように設けられ、被覆体７８および基板取付部材８０から突出する部位に可動発光体６３が設置されている。また、透明な中間体８２の後側には、可動発光基板６２が設置され、中間体８２によって可動発光基板６２の前側が覆われている。そして、実施例の可動体６０は、演出体６４が可動発光体６３の配列方向に沿って往復移動するよう構成され、演出体６４の移動により可動発光体６３の前側を覆う該演出体６４の領域が変化するようになっている。
【００２６】
(演出体)
前記演出体６４は、可動発光体６３の配列方向に長手が延在する長尺な部材であって(図１４参照)、可動発光基板６２の前側に配置されると共に、下部が被覆体７８の後側に収容し得るようになっている。演出体６４は、光を透過可能な第１発光部６８を設けた第１飾り部６６と、光を透過可能な第２発光部７２を設けた第２飾り部７０とを有し(図４または図１４参照)、第１飾り部６６および第２飾り部７０が、該演出体６４の変位方向に並べて設けられている。そして、演出体６４は、第２飾り部７０が被覆体７８で覆われると共に第１飾り部６６が被覆体７８の外方に臨む第１演出位置と(図３、図５および図１４(ａ)参照)、第１飾り部６６および第２飾り部７０が被覆体７８の外方に臨む第２演出位置との間で(図４、図７および図１４(ｂ)参照)、可動発光基板６２および被覆体７８に対して変位するよう構成されている。すなわち、演出体６４は、可動発光体６３の配列方向に沿って可動発光基板６２の前側をスライド移動するよう設けられ、第１飾り部６６が常に被覆体７８の外方に露出する一方、第２飾り部７０が被覆体７８から出没するようになっている。 演出体６４は、第１演出位置において可動発光体６３の前側に第１飾り部６６の第１発光部６８が位置して(図１４(ａ)参照)、可動発光体６３からの光の照射によって第１発光部６８が発光演出される。そして、演出体６４は、第２演出位置において可動発光体６３の前側に第２飾り部７０の第２発光部７２が位置し(図１４(ｂ)参照)、可動発光体６３からの光の照射によって第２発光部７２が発光演出される。
【００２７】
前記第１飾り部６６は、刀の柄部分を模した形状に形成され、演出体６４の変位方向に離間して複数(実施例では８箇所)の第１発光部６８が設けられている(図５参照)。第１飾り部６６は、後方に開放する凹状に湾曲形成され、演出体６４の変位方向に離間して開設された発光部開口を有する不透明な第１飾り部本体６６ａと、第１飾り部本体６６ａの後方に設けられ、発光部開口を介して前側に臨む部位が第１発光部６８を構成する半透明の発光部カバー６７とから構成される(図８参照)。第２飾り部７０は、刀の刃部分を模した形状に形成され、演出体６４の変位方向と交差する短手方向に区分して、第２発光部７２と不透明な部分とが設けられている(図４または図１４(ｂ)参照)。第２発光部７２は、第２飾り部７０の長手方向全体に亘って設けられ、第１飾り部６６の第１発光部６８の１つより大きく形成されると共に、略菱形状の第１発光部６８と異なる面形状となっている。
【００２８】
前記演出体６４は、第１飾り部６６の発光部カバー６７の後側および第２飾り部７０の後側に、透明な支持板部７４を備えている(図８参照)。支持板部７４は、第１飾り部６６から第２飾り部７０を越えて支持部側に延在する長尺な部材であって、可動発光体６３の配列方向に沿って長手辺が延在する長孔状の第１スライド溝７４ａが、第１飾り部６６側の先端部に設けられると共に、同じく可動発光体６３の配列方向に沿って長手辺が延在する長孔状の第２スライド溝７４ｂが、第２飾り部７０に対応する部位から支持部側に延びる延長部分に設けられている。なお、実施例では、第２スライド溝７４ｂが支持板部７４と別体の溝形成部材７５で形成されている(図８参照)。支持板部７４は、中間体８２における被覆体７８から突出する先端に設けられた第１支持ボス８３に第１スライド溝７４ａを係合すると共に、被覆体７８の後側に設けられた第２支持ボス８４に第２スライド溝７４ｂを係合して、中間体８２(支持部)に対してスライド可能に取り付けられる。すなわち、演出体６４は、中間体８２の一対の支持ボス８３,８４に支持されて、スライド溝７４ａ,７４ｂの長手辺に沿ったスライド移動が許容される一方、スライド溝７４ａ,７４ｂと支持ボス８３,８４の係止によって前後および該演出体６４の短手方向の移動が規制されるようになっている。このように、演出体６４は、第１飾り部６６、発光部カバー６７、第２飾り部７０および支持板部７４で構成されている。
【００２９】
前記演出体６４には、該演出体６４の変位方向において被覆体７８と交差する関係で延出する鍔状延出部(延出部)７６が、第１飾り部６６における第２飾り部７０との境界部位に設けられている(図５参照)。演出体６４は、スライド溝７４ａ,７４ｂの長手方向の端部に支持ボス８３,８４が係止されることで(図１４(ａ)参照)、被覆体７８の上端部と鍔状延出部７６とが第１演出位置で所定の隙間Ｓをあけて相対するよう位置規制される(図１０参照)。そして、演出体６４には、鍔状延出部７６を第２飾り部７０側に延長すると共に被覆体７８の後側に収容可能な寸法で形成された延長片７６ａが設けられ(図１１参照)、第１演出位置で前記隙間Ｓを延長片７６ａで埋めるよう構成されている(図１０参照)。
【００３０】
前記被覆体７８は、後側に開放する器状に形成された不透明な部材であって、その外縁部を基板取付部材８０または中間体８２の外縁部に突き合わせて、演出体６４を挟んで中間体８２の前側に取り付けられる(図８参照)。そして、可動体６０の支持部には、演出体６４の第２飾り部７０および該第２飾り部７０から突出する支持板部７４を収容可能な収容部位が、演出体６４の変位方向に連通して被覆体７８と中間体８２との間に設けられ、該支持部の上端部(被覆体７８の一端部)に開口する演出体開口から演出体６４の第１飾り部６６が第１演出位置で突き出している。また、演出体６４が第２演出位置に変位することで、第１飾り部６６および第２飾り部７０の両方が支持部の上端部から突き出る一方、支持板部７４における第２飾り部７０から下方に突出する部位が被覆体７８の後側に隠れている。
【００３１】
前記可動体６０の支持部は、演出体６４を収容する収容部位から該演出体６４の変位方向と交差する方向に延出するように形成され、この延出部位の先端部に第１ベース部材５２に回転可能に支持される軸支部６１が設けられている(図１２参照)。また、可動体６０の支持部には、前記延出部位における軸支部６１と前記収容部位との間に、動作手段を構成する動作モータ８５や演出体６４の位置を検知する動作位置検知手段８６が収容されている。このように、実施例の可動体６０は、遊技盤２０の遊技盤面に沿う一方の辺が他方の辺より長い刀状部分が支持部の収容部位および演出体６４で構成され、支持部の延出部位が該刀状部分における長手辺の一端部から該長手辺と交差する方向に延出して、全体として略「Ｌ」字形状に形成されている。そして、可動体６０は、略Ｌ字形状の短い側の先端部に設けられた軸支部６１を介して第１ベース部材５２に支持され、略Ｌ字形状の長い側が演出体６４の動作によって伸縮するようになっている。
【００３２】
前記演出体６４を動かす動作モータ８５は、可動体６０における支持部の延出部位上部に、出力軸を収容部位側に向けて突出した姿勢で配設され、この動作モータ８５の出力軸に設けられた動作ピニオン８５ａが支持板部７４における軸支部６１側の一側部に設けられた動作歯部７４ｃに噛み合うようになっている(図８または図１４参照)。すなわち、可動体６０では、動作モータ８５の駆動が動作ピニオン８５ａおよび動作歯部７４ｃからなるラックアンドピニオン機構によって、演出体６４のスライド動作に変換される。なお、動作モータ８５は、中間体８２から前方へ立ち上がった支持壁８２ａに設置されている。演出体６４は、支持板部７４における軸支部６１側の一側部の端に動作歯部７４ｃから突出するよう設けられた動作検知片７７が、第１演出位置で中間体８２の前側に設置された動作位置検知手段８６に臨み、第１演出位置から変位することで動作検知片７７が動作位置検知手段８６から外れるようになっている(図１４参照)。実施例の動作位置検知手段８６は、光照射部とこの光照射部から照射された光を受ける受光部とを有する光センサが採用されている。可動演出装置５０は、動作検知片７７が動作位置検知手段８６に臨むことで演出体６４の位置が判定され、動作位置検知手段８６による動作検知片７７の検知によって演出体６４の停止タイミングが決められる。
【００３３】
前記演出体６４は、第２飾り部７０から第１飾り部６６にかけて可動発光基板６２が相対した関係で、被覆体７８の上端部から第２飾り部７０が出没するよう変位するようになっている。すなわち、実施例では、演出体６４の第１演出位置および第２演出位置の何れにあっても、第１飾り部６６における第２飾り部７０側の少なくとも一部から第２飾り部７０にかけて可動発光基板６２の前側に位置している(図１４参照)。演出体６４は、第１演出位置で複数の第１発光部６８全部の後側に可動発光基板６２が位置し(図６参照)、複数の第１発光部６８の夫々に可動発光体６３が１つずつ臨むようになっている(図１４(ａ)参照)。一方、演出体６４は、第１演出位置で第２発光部７２の後側に可動発光基板６２が位置しているものの、第２発光部７２の後側から可動発光体６３が外れている。また、演出体６４は、第２演出位置で複数の第１発光部６８のうちの該演出体６４の先端側に位置している一部(実施例では５つ)が、可動発光基板６２および可動発光体６３の前側から外れると共に(図７参照)、複数の第１発光部６８のうち第２飾り部７０側に位置する残部(実施例では３つ)の夫々に、後側に可動発光基板６２が位置すると共に可動発光体６３が１つずつ臨むようになっている(図１４(ｂ)参照)。一方、演出体６４は、第２演出位置で被覆体７８から外方に露出した第２飾り部７０に対して該第２飾り部７０の後側に位置する可動発光基板６２の領域に設けられた複数(実施例では５基)の可動発光体６３が臨むようになっている。このように、演出体６４は、第２演出位置で先端側に位置する一部の第１発光部６８の後側が開放され(図７参照)、例えば図柄表示装置４０の表示部４０ａなど、可動発光体６３以外の光の入射によって、第２飾り部７０側に位置する残部の第１発光部６８とは別に発光演出可能に構成されている。
【００３４】
前記可動体６０の軸支部６１は、被覆体７８における延出部位の先端部に開設された軸支開口７８ａの前側に嵌め込まれる前摺動環８７と、中間体８２における延出部位の先端部に開設された軸支開口８２ｂの後側に嵌め込まれる後摺動環８８とを備えている(図８参照)。軸支部６１は、被覆体７８の後面に軸支開口７８ａにおける延出部位の先端側を囲って設けられた壁部分と、中間体８２の前面に軸支開口８２ｂにおける延出部位の先端側を囲って設けられた壁部分とを突き合わせて略円筒形状に形成されている(図１２参照)。前摺動環８７および後摺動環８８は、有底の円筒部の開放端に半径方向外側に延出する円形の鍔部を備えた所謂ハット形状に形成されて、該円筒部の底にも前後に貫通する円形開口が開設されている。なお、鍔部には、外周縁と内周縁との夫々に摺動突起(図示せず)がリング状に設けられている。摺動環８７,８８は、対応の軸支開口７８ａ,８２ｂに円筒部を嵌め合わせると共に鍔部を軸支開口７８ａ,８２ｂの開口縁に突き当てて取り付けられ、軸支部６１に前後に貫通すると共に被覆体７８および中間体８２の間に連通する孔部６１ａが形成される。
【００３５】
前記第１ベース部材５２の左側部前面には、前方に突出する環状の軸支筒壁５３が設けられ(図８参照)、この軸支筒壁５３が後摺動環８８の円筒部に挿入される。なお、第１ベース部材５２は、軸支筒壁５３の内側が前後に貫通するよう開口している。また、第１ベース部材５２には、軸支筒壁５３の左側方に前方に立ち上がる壁部(特に区別する場合は保持壁部５４という)に対して軸支部材８９が着脱可能に設けられ、この軸支部材８９によって可動体６０の軸支部６１の前側が支持される。ここで、保持壁部５４は、軸支筒壁５３と同心の半円状に延在するように設けられ、可動体６０の軸支部６１の外周面を位置規制するようになっている。軸支部材８９は、有底の円管部の開放端に半径方向外側に延出する円形の鍔部を備えた所謂ハット形状に形成された軸支本体と、軸支本体の外周縁から後方に向けて、保持壁部の延在形状に沿うように半円形状に延出する脚部とを備えている。なお、軸支部材８９は、軸支本体の円管部の底に前後に貫通する円形開口が開設されている。そして、軸支部材８９は、円管部を軸支部における前摺動環８７の円筒部に嵌め合わせると共に、脚部を保持壁部５４の前面に固定することで、軸支部６１を支持するようになっている。このように、可動体６０は、軸支部６１に第１ベース部材５２の軸支筒壁５３および軸支部材８９が嵌め込まれると共に、第１ベース部材５２、軸支部材８９および第２ベース部材５６に前後に挟まれて、前後にがたつきなく回転可能に支持される。なお、第１ベース部材５２、軸支部材８９および該軸支部材８９の前側を覆う第２ベース部材５６には、軸支部６１の前後に貫通する孔部６１ａに対応して開口５２ａ,５６ａが設けられ(図５または図６参照)、ベース体５１の前後に貫通して軸支部６１の内側を通る挿通口が設けられている。すなわち、可動演出装置５０は、軸支部６１の孔部６１ａを挿通してベース体５１の後側に引き出される可動発光基板６２、動作モータ８５および動作位置検知手段８６に繋がる配線を、挿通口を介して引き出すことができると共に、該配線をベース体５１の挿通口を介して前後から確認することができる。
【００３６】
前記第１ベース部材５２の右側上部前面には、出力軸を後方に臨ませて可動モータ９０が設置され、この出力軸の先端には、可動ピニオン９０ａが固定されている(図１２参照)。可動体６０には、基板取付部材８０の後側に連繋板部８１が取り付けられ、連繋板部８１における軸支部６１と反対側の側縁に、可動ピニオン９０ａに噛み合う可動歯部８１ａが設けられている。可動歯部８１ａには、可動体６０の軸支部６１を中心として複数の歯が円弧状に並べて設けられ、可動モータ９０の駆動が可動ピニオン９０ａおよび可動歯部８１ａからなるラックアンドピニオン機構によって、可動体６０の回動動作に変換される。可動体６０は、支持部における延出部位の下方に突出した板状部の後面に設けられた可動検知片９１が、第１可動位置で第１ベース部材５２の前側に設置された可動位置検知手段９２に臨み(図１２参照)、第１可動位置から変位することで可動検知片９１が可動位置検知手段９２から外れるようになっている。実施例の可動位置検知手段９２は、光照射部とこの光照射部から照射された光を受ける受光部とを有する光センサが採用されている。可動演出装置５０は、可動検知片９１が可動位置検知手段９２に臨むことで可動体６０の位置が判定され、可動位置検知手段９２による可動検知片９１の検知によって可動体６０の停止タイミングが決められる。
【００３７】
前記可動体６０は、演出体６４およびこの演出体６４の下部を収容する被覆体７８の収容部位からなる刀状部分が第１可動位置において上下に延在する姿勢となり、この刀状部分の下端部から左側方に突き出した延出部分の先端部が第１ベース部材５２に軸支されている(図１３(ａ)参照)。すなわち、可動体６０の重心には、第１可動位置において第１ベース部材５２への軸支点を支点として、時計回り方向(第１可動位置から第２可動位置へ向かう方向と反対方向)に回転しようとする力が働くようになっている。可動体６０は、第１可動位置から反時計回りに４５°程度回動することで第２可動位置に変位し、前記刀状部分が第２可動位置において斜めに延在する姿勢となり、この刀状部分から突き出した延出部分も斜めに延在している(図１３(ｃ)参照)。ここで、可動体６０は、前記延出部分に動作モータ８５等の重い部材が配設されているので、可動体６０の重心には、第２可動位置において第１ベース部材５２への軸支点を支点として、時計回り方向(第２可動位置から第１可動位置へ向かう方向)に回転しようとする力が働くようになっている。可動体６０は、第１可動位置からの動作時に、重力に逆らうベクトル成分を有する方向に回転動作するように構成されると共に、第２可動位置からの動作時に、重力がかかる向き(重力に沿う向き)のベクトル成分を有する方向に回転動作するよう構成される。すなわち、可動体６０は、第１可動位置から第２可動位置への回動全体に亘って、自らの荷重を持ち上げるように駆動され、第２可動位置から第１可動位置への回動全体に亘って、自らの荷重がかかった状態で駆動される。
【００３８】
(付勢手段)
前記可動体６０の動作を補助する付勢手段９４は、該可動体６０に対して接離可能に設けられ、第１可動位置から第２可動位置に向かう途中位置まで該可動体６０に当接する一方、該途中位置から第２可動位置にかけて該可動体６０から離間するよう構成されている(図６,図７または図１２参照)。また、付勢手段９４は、可動体６０に当接する範囲において該可動体６０を第２可動位置へ向けて弾力により付勢するようになっている。より具体的に説明すると、付勢手段９４は、一端が第１ベース部材５２の後面(遊技盤側)に回転可能に支持されて、他端が第１ベース部材５２に開設された規制溝５５を介して第１ベース部材５２の前側に臨んで可動体６０に当接する当接部９５と、一方のアーム９６ａが第１ベース部材５２の後面(遊技盤側)に保持されて、他方のアーム９６ｂが当接部９５を付勢するトーションばね９６とから構成されている(図６、図７または図８参照)。ここで、規制溝５５は、第１ベース部材５２の中央下部に、可動体６０の支持部下縁の回動範囲の一部(第１可動位置と途中位置との間)に重なるように設けられている(図１２参照)。実施例では、可動体６０の下部における軸支部６１側の側縁に設けられた当接面６０ａに対して付勢手段９４の当接部９５が当接するようになっている。可動体６０の当接面６０ａは、基板取付部材８０の後側に取り付けられた連繋板部８１における下部側面で構成され、実施例では当接面６０ａが演出体の変位方向に沿って平坦に延在するよう形成されている。
【００３９】
前記当接部９５は、棒状の部材であって、第１ベース部材５２に支持される一端が、可動体６０の軸支部位より下側に位置し、可動体６０の軸支部位と規制溝５５との間に位置するように設定されている(図６、図７または図１２参照)。トーションばね９６は、当接部９５における第１ベース部材５２に支持される一端を囲んでコイル部９６ｃが配設され、一方のアーム９６ａを第１ベース部材５２に固定すると共に、他方のアーム９６ｂが当接部９５の長手方向(支持側と当接片９５ａの離間方向)に形成された溝(図示せず)に挿入されて該当接部９５に取り付けられている。また、トーションばね９６は、一対のアーム９６ａ,９６ｂが当接部９５が第１可動位置にある可動体６０に当接したもとで自由時角度より狭くなるように設定され、可動体６０第１可動位置から途中位置に対応して当接部９５を反時計回りに弾力付勢するようになっている(図１２参照)。すなわち、付勢手段９４は、当接部９５がトーションばね９６によって反時計回りに常に付勢されており、第１可動位置から第２可動位置へ向けて動作する際に反時計回りに回動する可動体の動作方向と付勢手段９４による付勢方向とが略合致している。
【００４０】
前記規制溝５５は、当接部９５の一端を支点とする他端の回動軌跡に合わせて第１ベース部材５２に前後に貫通するよう形成されて、当接部９５の他端に前方に突出するように形成された円柱形状の当接片９５ａが挿入されるようになっている。付勢手段９４は、可動体６０の第１可動位置から途中位置までの当接部９５の変位が許容される一方、可動体６０の途中位置に対応して設けられた規制部５５ａによって該途中位置を越えた第２可動位置側への移動が阻まれるようになっている。ここで、円弧状に延在する規制溝５５は、可動体６０の当接面６０ａにおける第１可動位置と第２可動位置との間の変位量より短く設定され、規制溝５５の上縁が途中位置で付勢手段９４を可動体６０から切り離す規制部５５ａとして機能する。実施例の可動演出装置５０では、途中位置が第１可動位置と第２可動位置との略中間部位に設定されている。なお、符号９７は、当接部９５の支持側の一端の後側を押えると共に該当接部９５の一部を覆う保護カバーである(図６または図７参照)。
【００４１】
前記可動演出装置５０では、可動体６０が第１可動位置から途中位置に向かうにつれて、該可動体６０の当接面６０ａと該付勢手段９４が該当接面６０ａへ作用する付勢力の向きとのなす付勢角度(角度)αが小さくなるよう変化し、可動体６０に加わる付勢手段９４の付勢力が該可動体６０の回動によって大小するようになっている(図１２参照)。当接部９５は、可動体６０の第１可動位置において上下方向に延在する当接面６０ａとの当接下に、支持側の一端の下側に当接片９５ａが位置する略上下方向に延在する姿勢となっている(図１２(ａ)参照)。可動演出装置５０は、可動体６０が第１可動位置から第２可動位置に向けて回動するにつれて当接面６０ａが斜めになり、可動体６０の軸支部位と当接面６０ａとの距離と比べて当接部９５における支持側の一端と当接片９５ａとの距離が近く、当接面６０ａの角度変位量に比べて付勢手段９４の当接片９５ａの角度変位量が大きいので、当接面６０ａにかかる付勢力の向きが第１可動位置での関係よりずれる(図１２(ｂ)参照)。ここで、可動演出装置５０は、可動体６０の第１可動位置において当接面６０ａに付勢手段の付勢力が効率よく加わる関係に設定され、第１可動位置から第２可動位置に向かうにつれて当接面６０ａに対してかかる付勢手段９４の付勢力が弱くなるよう構成される。換言すると、可動演出装置５０は、第２可動位置から第１可動位置に向けた回動に際して可動体６０の途中位置で当接面６０ａが付勢手段９４の当接片９５ａに当接し、途中位置から第１可動位置に向かうにつれて当接面６０ａに対してかかる付勢手段９４の付勢力が次第に強くなる。なお、付勢手段９４の付勢力は、第１可動位置で可動体６０に時計回り方向にかかる自重および可動モータ９０の停止時の機械的な抵抗力を合わせた力より小さく設定されており、付勢手段９４の付勢力だけで可動体６０が第１可動位置から第２可動位置に向けて動かないよう構成される。
【００４２】
(作動体)
図５〜図７、図９および図１５に示すように、前記作動体１００は、遊技盤面に沿う一方の辺が他方の辺より長い長尺な意匠部１０２と、この意匠部１０２の後側に配設された作動発光基板１０４とを備えている。意匠部１０２には、光を透過可能な意匠発光部１０２ａが長手に離間して複数(実施例では８つ)設けられ、これらの意匠発光部１０２ａの夫々に、作動発光基板１０４の前面に設けられた前方に光を照射する作動発光体１０５が臨むようになっている。なお、実施例では、作動発光体１０５としてＬＥＤが採用されている。作動体１００は、意匠部１０２の下端部が第２ベース部材５６の上部中央前面に回転可能に軸支されており、作動手段としての作動モータ１０６によって、第１作動位置(図３、図５(ａ)、図６(ａ)参照)と第２作動位置(図４、図５(ｂ)、図６(ｂ)参照)との間で揺動するよう構成されている。
【００４３】
前記作動モータ１０６は、第２ベース部材５６の前側に出力軸を後側に向けた姿勢で作動体１００の軸支部位の下方に設置され、この出力軸の先端に固定された作動ピニオン１０６ａが作動体１００における意匠部１０２の下端部に扇状に設けられた作動歯部１０３に噛み合っている(図１５参照)。すなわち、作動モータ１０６の駆動が作動ピニオン１０６ａおよび作動歯部１０３からなるラックアンドピニオン機構によって、作動体１００の回動動作に変換される。作動体１００は、意匠部１０２の作動歯部１０３から後方へ突出するよう設けられた作動検知片１０３ａが、第１作動位置で第２ベース部材５６の前側に設置された作動位置検知手段１０８に臨み、第１作動位置から変位することで作動検知片１０３ａが作動位置検知手段１０８から外れるようになっている(図１５参照)。実施例の作動位置検知手段１０８は、光照射部とこの光照射部から照射された光を受ける受光部とを有する光センサが採用されている。可動演出装置５０では、作動検知片１０３ａが作動位置検知手段１０８に臨むことで作動体１００の位置が判定され、作動位置検知手段１０８による作動検知片１０３ａの検知によって作動体１００の停止タイミングが決められる。
【００４４】
前記可動演出装置５０は、待機状態において、演出体６４が第１演出位置にある可動体６０が第１可動位置にあり、作動体が第１作動位置で停止されている(図２、図３、図５(ａ)または図６(ａ)参照)。可動体６０は、第１可動位置において表示部４０ａの右辺に沿って上下方向に延在し、枠状装飾体２８の右上部に設けられた右部飾り部材３２およびこの右部飾り部材３２を照らす飾り発光手段３６の右部の後側に第１飾り部６６の上部が位置し、第１飾り部６６における先端側に位置する２つの第１発光部６８が右部飾り部材３２(飾り発光手段３６)によって隠される(図２または図３参照)。右部飾り部材３２の後側(該右部飾り部材３２を照らす飾り発光手段３６の右部と設置板部３５との間)には、可動体６０の第１可動位置において、演出体６４の第１演出位置から第２演出位置への変位を許容するスペースが設けられ、可動体６０の第１可動位置であっても演出体６４を第１演出位置と第２位置との間で変位する動作演出が行われる。なお、作動体１００は、第１作動位置において下から上に向かうにつれて表示部４０ａ側から離れる傾斜姿勢にあり、可動体６０の前側を斜めに横切っている(図２、図３、図５(ａ)または図６(ａ)参照)。
【００４５】
前記可動演出装置５０は、可動モータ９０を正駆動することで可動体６０が第１可動位置から回動し、可動体６０が第１可動位置から表示部４０ａの前側を右下から斜めに横切る第２可動位置に移動する(図４、図５(ｂ)または図６(ｂ)参照)。一方、作動体１００は、作動モータ１０６の正駆動により第１作動位置から表示部４０ａの前側を右下から横切る第２作動位置に回動し、第２作動位置で第２可動位置にある可動体６０より立てた姿勢になる。この際、可動体６０は、当接面６０ａに当接している付勢手段９４によって第１可動位置から第２可動位置に向けて弾力付勢される。このように、重力に逆らって動く可動体６０の第１可動位置において、可動モータ９０への負荷が最も大きい駆動開始時に付勢手段９４によって付勢力を与えることで、可動体６０の動き出しが円滑になるよう補助し得る。そして、可動体６０は、停止状態から動き出してしまえば、ある程度の惰性が働くので、可動モータ９０に対して起動時と比べてかかる負荷が小さくなる。ここで、付勢手段９４は、可動体６０の途中位置で該可動体６０から離間するので(図１２(ｃ)参照)、途中位置から第２可動位置に動く可動体６０に対して無駄に付勢力を与えない。また、可動体６０は、第１可動位置において演出体６４が第２演出位置に伸びることで(図４または図７参照)、下向きのモーメントが大きくなるが、可動体６０に対して付勢手段９４の付勢力がかからないので、第２可動位置で可動体６０を停止する機構に対する付勢手段９４に起因する負荷を回避できる。
【００４６】
しかも、可動体６０が第１可動位置から途中位置に向かうにつれて当接面６０ａと付勢手段９４の付勢力の向きとがなす付勢角度αが小さくなるので、可動体６０に加わる付勢手段９４の付勢力が次第に小さくなる(図１２(ａ)および(ｂ)参照)。このように、可動体６０の第１可動位置からの動作時に比較的強い付勢力により動作を適切に補助し、第１可動位置から途中位置に向かうにつれて、付勢手段９４の付勢力が弱くなるように設定されているので、付勢手段９４が可動体６０に当接していても可動体６０に過剰な勢いを与えない。また、トーションばね９６による付勢力を変えることなく、可動体６０の当接面６０ａと付勢手段９４の当接部９５との当接関係の変化によって可動体６０に加わる力を調整しているので、機構を簡易にできる。
【００４７】
前記可動演出装置５０は、可動モータ９０を逆駆動することで可動体６０が第１可動位置へ向けて回動する。ここで、可動体６０は、第１可動位置から第２可動位置の変位に亘って重力に逆らうベクトル成分を有する方向に回動するようになっており、第２可動位置から第１可動位置の変位に亘って、重力がかかる向きのベクトル成分を有する方向に回転する。すなわち、可動体６０は、第２可動位置からの動作時に、重力がかかる向きのベクトル成分を有する方向に回転動作するので、付勢手段９４による補助を必要としない。 そして、付勢手段９４は、途中位置から第２可動位置に亘って離間しているので、第２可動位置から途中位置へ向けた可動体６０の動作に際して、付勢手段９４の付勢力が働かず、可動モータ９０に対して該可動モータ９０によって制御された回動速度を超えて回動しようとする無駄な負荷がかからない。また、付勢手段９４は、可動体６０の第１可動位置に向けた回動に際して、途中位置で可動体６０に当接するが、付勢手段９４による可動体６０に対する付勢力が途中位置から第１可動位置に向かうにつれて次第に強くなるように設定されているので、途中位置から第１可動位置への動作時に可動モータ９０への負荷を最小限に抑えることができる。なお、可動体６０の第１可動位置に向けた回動に際して、可動体６０は自重により第１可動位置に向けて落下しようとしているので、途中位置から加わる付勢手段９４の付勢力によって打ち消しあって、可動モータ９０で制御した回動速度で動かすことができる。
【００４８】
このように、可動演出装置５０によれば、付勢手段９４の付勢力が必要な範囲で強く働き、不要な範囲で影響が小さくなるよう構成されているので、可動体６０が往路および復路の何れでもスムーズに動作するので、可動体６０によって自然な動作演出を行い得る。可動演出装置５０は、付勢手段９４における当接部９５の当接片９５ａが規制溝５５の端部である規制部５５ａに引っ掛かることで可動体６０から途中位置で切り離すことができ、規制部５５ａによる簡単な構成で可動体６０に対して途中位置を境に付勢手段９４を簡単に接離させることができる。しかも、付勢手段９４は、当接部９５とトーションばね９６とによる簡単な構成で、可動体６０の動作を適切に補助し得る。
【００４９】
前記可動体６０は、演出体６４の第１演出位置で、外方に臨む第１飾り部６６の複数の第１発光部６８が可動発光体６３によって一体または夫々発光演出される(図１４(ａ)参照)。また、可動体６０は、演出体６４の第２演出位置で、第１演出位置で被覆体７８で覆われていた第２飾り部７０が外方に臨み、第２飾り部７０の第２発光部７２が可動発光体６３によって発光演出される(図１４(ｂ)参照)。ここで、実施例の可動体６０は、演出体６４の第２演出位置において、可動発光体６３が第２発光部７２だけでなく、第２飾り部７０側に位置する一部の第１発光部６８に臨んでいるので、これらの第１発光部６８を第２発光部７２と合わせてまたは独立して発光演出することができる。このように、可動体６０は、演出体６４と被覆体７８(可動発光基板６２)との相対的な変位によって、発光演出する部位が変わり、発光態様を変えることができる。また、可動体６０は、演出体６４を第２演出位置に変位することで、先端側の第１発光部６８が可動発光体６３の前側から外れる一方、第２飾り部７０側の第１発光部６８が可動発光体６３の前側に位置しているので、演出体６４の第２演出位置で、発光演出される第１発光部６８と、発光演出されない第１発光部６８とに分けることができる。
【００５０】
前記可動体６０は、第１演出位置で被覆体７８と演出体６４における第１飾り部６６の鍔状延出部７６が当たらないように隙間Ｓをあけて位置規制されるが(図１０参照)、この隙間Ｓを延長片７６ａで埋めることで、隙間Ｓを遊技者から視認し難くできる。しかも、鍔状延出部７６が被覆体７８に接触しないので、互いの傷付きや異音の発生等を防止できる。
【００５１】
前記可動体６０は、第１可動位置と第２可動位置との間の動作によっても、可動演出装置５０の周りに配置された飾り部材３２,３３との関係が変わるようになっている。第１可動位置における演出体６４の第１演出位置で、第１飾り部６６の第１発光部６８に臨む可動発光体６３によって第１発光部６８が発光演出されたり、演出体６４を第２演出位置に変位することで、第１飾り部６６を右部飾り部材３２で隠して(図２または図３参照)、遊技者に臨む第２飾り部７０の第２発光部７２が可動発光体６３による光の照射によって発光演出される。可動体６０は、第２可動位置で演出体６４を第１演出位置から第２演出位置に変位することで、表示部４０ａの右下角部から左上角部に亘って延在し、枠状装飾体２８の左上部に設けられた左部飾り部材３３の後側に第１飾り部６６の上部が位置し、第１飾り部６６における最先端に位置する１つの第１発光部６８が左部飾り部材３３によって隠される(図４参照)。また、演出体６４は、第２演出位置において第１発光基板の前側から外れた第１飾り部６６の先端側に位置する５つの第１発光部６８が、最先端の１つを除いて表示部４０ａの前側に位置し、表示部４０ａで該第１発光部６８に合わせて表示演出が行われることで、これらの第１発光部６８が可動発光体６３の発光による演出と異なった態様で発光演出される。
【００５２】
前記可動演出装置５０は、可動体６０、演出体６４および作動体１００を夫々独立して動作させることができるので、これらの動作を組み合わせて複数の態様で動作演出を行うことができる。また、可動演出装置５０は、演出体６４を変位することで可動体６０における発光する領域を変えることができ、作動体１００の作動発光体１０５による意匠発光部１０２ａの発光演出と合わせてまたは独立してより複雑なパターンで発光演出することができる。すなわち、実施例の可動演出装置５０によれば、遊技者の興趣をよりかき立てることができる。
【００５３】
(変更例)
なお、遊技機の構成としては、実施例のものに限らず、種々の変更が可能である。
(１)実施例では、可動体が回動する例を挙げたが、これに限定されず、左右、上下または前後にスライド移動したり、曲線や折れ線等の任意の経路で変位する構成であってもよい。
(２)発光体としてＬＥＤを例に挙げたが、これに限定されず、電球や有機ＥＬその他の光を照射し得るものであれば採用できる。
(３)実施例では、演出体が被覆体および可動発光基板に対して変位する構成を例に挙げたが、演出体に対して被覆体および可動発光基板が同期してまたは一体的に変位する構成であっても、 演出体が一方に変位すると共に、被覆体および可動発光基板が同期または一体に他方に変位する構成であってもよい。
(４)実施例では、位置検知手段として光センサを例に挙げたが、これに限定されず、マイクロスイッチ等の機械式や磁気センサあるいはその他の検知手段を採用し得る。
(５)付勢手段は、トーションばねにより当接部を付勢する構成を例に挙げたが、トーションばねのアームを可動体に直接当接させる構成であってもよい。また、弾力を与える手段としては、トーションばねに限定されず、コイルばねや板ばね等のその他のばねやゴム等の弾性体であってもよい。
(６)実施例では、駆動手段、動作手段および作動手段として、モータを採用したが、ソレノイドや流体圧シリンダ等のアクチュエータを用いてもよい。
(７)可動演出装置は、右下部に限定されず、表示部の上や左右などの任意の位置に配置することができ、設置部材ではなく枠状装飾体に設置してもよい。
(８)実施例では、演出体の第２演出位置で後側が開放された第１発光部を図柄表示装置で発光演出する例を挙げたが、表示部の周りに配設した飾り部材を発光演出する発光手段の光を第１発光部に入射してもよい。
(９)実施例では、付勢手段を可動体から切り離す規制部として規制溝の端部を用いたが、付勢手段の可動体に伴う変位を阻む壁やその他の構成を採用してもよい。
(１０)実施例では、演出体の第１発光部に１つの可動発光体が臨むように構成したが、複数の可動発光体を臨ませてもよい。
(１１)実施例では、可動体の演出体が往復移動するよう構成されたが、作動体の意匠部を演出体と同様に往復移動される構成であってもよい。
(１２)可動体は、ベース部材ではなく、設置部材の設置板部に配設してもよい。また可動体を駆動する駆動手段を設置板部に設け、歯車やプーリ等の伝達手段を介して可動体を動作してもよい。
(１３)実施例では、遊技盤の裏側に設置部材を設けるよう構成したが、該設置部材を本体枠としての中枠に設置する構成も採用できる。
(１４)実施例では、遊技盤を木材板形成したが、これに限られるものではなく、遊技盤を合成樹脂材から透明または不透明に形成するようにしてもよい。
(１５)実施例では、遊技機としてパチンコ機を例示して説明したが、これに限られるものではなく、アレンジボール機やピンボール機、スロットマシン機等の各種遊技機を採用し得る。
【符号の説明】
【００５４】
２０  遊技盤
６０  可動体
２０ａ  遊技領域
３２  右部飾り部材(飾り部材)
３３  左部飾り部材(飾り部材)
３４ａ  表示開口
４０  図柄表示装置
４２ａ  表示部
６２  可動発光手段(発光手段)
６３  可動発光体(発光体)
６４  演出体
６６  第１飾り部
６８  第１発光部
７０  第２飾り部
７２  第２発光部
７６  鍔状延出部(延出部)
７６ａ  延長片
７８  被覆体
Ｓ  隙間
【図１】
0005538175.tif 000002
【図２】
0005538175.tif 000003
【図３】
0005538175.tif 000004
【図４】
0005538175.tif 000005
【図５】
0005538175.tif 000006
【図６】
0005538175.tif 000007
【図７】
0005538175.tif 000008
【図８】
0005538175.tif 000009
【図９】
0005538175.tif 000010
【図１０】
0005538175.tif 000011
【図１１】
0005538175.tif 000012
【図１２】
0005538175.tif 000013
【図１３】
0005538175.tif 000014
【図１４】
0005538175.tif 000015
【図１５】
0005538175.tif 000016